(57)【要約】【課題】  隣接物や同じ空間内に収容されている物に芳しさを与えることのできる香り付与具、および香り付与具を備えるシート材の収容具の提供を目的とするものである。【解決手段】  香料の含浸体２と、含浸体２を内部に収容する含浸体収容部４を有すると共に少なくとも片面に含浸体収容部４と外部とを連通する連通孔５を形成した容器３とを具備している。また、容器３を、シート材を収容する収容具のシート材収容部に収容可能な大きさとしたものである。【選択図】      図１
2006223514.tif 000002
【特許請求の範囲】
【請求項１】
香料の含浸体と、含浸体を内部に収容する含浸体収容部を有すると共に少なくとも片面に含浸体収容部と外部とを連通する連通孔を形成した容器とを具備してなる香り付与具。
【請求項２】
容器が、シート材を収容する収容具のシート材収容部に収容可能な大きさであることを特徴とする請求項１に記載の香り付与具。
【請求項３】
容器外面に粘着材層が設けられている請求項１または請求項２に記載の香り付与具。
【請求項４】
請求項１から請求項３までのいずれか1項に記載の香り付与具が、連通孔をシート材収容部内に開口した状態でシート材収容部に一体に設けられていることを特徴とするシート材の収容具。
【発明の詳細な説明】
【技術分野】
【０００１】
本発明は、隣接物に香りを付与する香り付与具に関するものである。
【背景技術】
【０００２】
一般に名刺、お札、カード、書類等のシート材を収容する名刺入れ、札入れ、鞄等の収容具が汎用されている。これらのうち、名刺入れに関する発明が下記の特許文献１に記載されている。
【０００３】
【特許文献１】特開平８−１２６５１３９号公報
【発明の開示】
【発明が解決しようとする課題】
【０００４】
前記特許文献１に記載の名刺入れは、名刺収容部内に工夫を凝らして１枚ずつ取り出せるようにしたものであるが、取り出した名刺は例えばインクや名刺入れ自体の臭いがするだけで味気なく、また不快に感じることさえあった。これは札入れから、お札を取り出した場合も同様である。
【０００５】
本発明は、上記した従来の問題点に鑑みてなされたものであって、隣接物や同じ空間内に収容されている物に芳しさを与えることのできる香り付与具、および香り付与具を備えるシート材の収容具の提供を目的とするものである。
【課題を解決するための手段】
【０００６】
上記目的を達成するために、本発明に係る香り付与具は、香料の含浸体と、含浸体を内部に収容する含浸体収容部を有すると共に少なくとも片面に含浸体収容部と外部とを連通する連通孔を形成した容器とを具備してなる構成にしてある。
【０００７】
また、前記構成において、容器を、シート材を収容する収容具のシート材収容部に収容可能な大きさとしたものである。
【０００８】
そして、前記した各構成において、容器外面に粘着材層が設けられているものである。
【０００９】
更に、本発明に係るシート材の収容具は、香り付与具が連通孔をシート材収容部内に開口した状態でシート材収容部に一体に設けられている構造にしてある。
【発明の効果】
【００１０】
本発明は上記したように構成されていることにより、含浸体から連通孔を通って出てきた香りが、香り付与具と隣接する物に移香するので、隣接物からの芳しい香りが漂って使用環境の雰囲気を良くすることができる。
【００１１】
また、容器外面に粘着材層が設けられている場合は、香り付与具を腋の下のアンダーシャツや靴下に貼り付けることで、臭いをマスキングできる。あるいは、香り付与具をシート材の収容具内などに固定することも可能である。
【００１２】
更に、香り付与具がシート収容具に一体に設けられている場合には、香り付与具がシート材の収容具から誤って飛び出して破損したり、紛失したりすることもないという利点がある。
【発明を実施するための最良の形態】
【００１３】
以下、本発明の実施形態を図面に基づいて詳しく説明する。
図１は本発明の一実施形態に係る香り付与具の斜視図、図２は図１のＡ−Ａ線矢視断面図、図３は図１におけるＢ−Ｂ線矢視断面図である。
各図において、この実施形態に係る香り付与具１は、香料を含浸する含浸体２と、含浸体２を収容する容器３とから構成されている。
【００１４】
含浸体２はここでは不織布で構成され、香水などが含浸されている。容器３は内部に含浸体２を収容する含浸体収容部４を有している。容器３はシート材Ｓ（ここでは名刺）を収容する収容具（ここでは名刺入れ）のシート材収容部に収容可能な大きさと寸法、すなわち名刺と同じ大きさと寸法に形成されている。容器３の両面３Ａ，３Ｂにはいずれも含浸体収容部４と外部とを連通する複数の長円形の連通孔５が形成されている。また、容器３の上面にその長手方向に沿って、含浸体２を含浸体収容部４から出し入れするための開口部１１が形成されている。
【００１５】
そこで、香り付与具１を使用するにあたっては、図４に示すように香水などの香料Ｆを含浸体２に吹きかけて含浸させ、この含浸体２を容器３の開口部１１から含浸体収容部４内へ入れる。無論、香料付きの含浸体２が既に容器３に収容されている香り付与具１ｂ（図６参照）を用いることも可能である。上記の香り付与具１は、シート材Ｓが収容されているシート材の収容具６のシート材収容部７に入れられる。シート材収容部７内で香り付与具１の両側にはシート材Ｓ，Ｓが隣接している（図３参照）。このとき、含浸体２から連通孔５を通って出てきた香料Ｆの香りはシート材収容部７内に漂って、隣のシート材Ｓはもとより離れたシート材Ｓにも移香する。したがって、シート材の収容具６からシート材Ｓを取り出すと、芳しい香りが周囲に漂い雰囲気を良くする。
【００１６】
尚、上記では、連通孔５を容器３の両面３Ａ，３Ｂに形成した例を示したが、本発明はそれに限るものではない。例えば図５に示した香り付与具１ａのように、一方の面３Ａにのみ連通孔５を形成した容器３ａを適用することも可能である。この場合には面３Ｂに連通孔５を設ける手間が省け、容器３ａの製作が容易となる。
【００１７】
あるいは、図６に示す香り付与具１ｂのように、開口部を設けることなく容器３ｂの製作時に含浸体２を含浸体収容部４内に予め収容しておくこともできる。この場合、香り付与具１ｂは使い捨てにされる。
【００１８】
また、図７に示す香り付与具１ｃのように、容器３ｃの外面３Ｂに粘着材層９を設けることもできる。粘着材層９の外側には剥離紙１０を貼り合わせておく。使用時には、剥離紙１０を剥がして香り付与具１ｃを腋の下のアンダーシャツや靴下などに貼り付けることで、臭いをマスキングできる。あるいは、香り付与具1ｃをシート材の収容具内に固定することも可能である。
【００１９】
そして、図８に示す香り付与具１ｄのように、連通孔５ａの形状を香水の有名ブランドのロゴマークとすれば、香り付与具１ｄの高級感も高められてよい。尚、登録商標に係るロゴマークの使用には商標権者の許可を得ておくことが望ましい。
【００２０】
更に、図９に示すシート材の収容具６ａでは、香り付与具1ａが連通孔５をシート材収容部７内に開口して配置され、シート材収容部７内に符号1２で示す縫着部によって一体に設けられている。かかる構成の場合は，香り付与具１ａがシート材の収容具６ａから誤って飛び出して落下することによって破損したり、紛失したりすることがない。但し、一体化するための手段は前記の縫着に限るものではなく例えば接着剤で固定させたり、粘着剤層で貼り付けたり、ホックや面ファスナーなどを用いることも可能である。
【００２１】
尚、本発明は前記のような構成に限定されるものでなく、以下に示すような構成であってもよい。すなわち、香り付与具の容器はアルミニウム、ステンレス、硬質合成樹脂などの硬質物でもよく、ゴム、軟質合成樹脂、布、皮革などの可撓物であっても構わない。また、含浸体は香料を含浸して保持できるものであれば特に限定されないが、例えば紙シート、不織布、織布、薄板状セラミックなどが挙げられる。
【００２２】
また、シート材は特に限定されないが、例えば名刺、お札、書類、カード、定期券などが例示される。これに対応して、収納具として名刺入れ、札入れ、鞄、定期券入れなどが例示される。
【図面の簡単な説明】
【００２３】
【図１】本発明の一実施形態に係る香り付与具の斜視図である。
【図２】図１におけるＡ−Ａ線矢視断面図である。
【図３】図１におけるＢ−Ｂ線矢視断面図である。
【図４】本発明の一実施形態に係る香り付与具の実際の使用形態を示す説明図である。
【図５】図１におけるＡ−Ａ線矢視断面図に対応する別の実施形態に係る図である。
【図６】図１におけるＡ−Ａ線矢視断面図に対応する更に別の実施形態に係る図である。
【図７】図１におけるＡ−Ａ線矢視断面図に対応する他の実施形態に係る図である。
【図８】本発明の更に他の実施形態に係る香り付与具の斜視図である。
【図９】本発明の実施形態に係るシート材の収容具の側断面図である。
【符号の説明】
【００２４】
１，１ａ，１ｂ，１ｃ，１ｄ  香り付与具、
２  含浸体、
３，３ａ，３ｂ，３ｃ，３ｄ  容器、
４  含浸体収容部、
５，５ａ  連通孔、
６，６ａ  収容具、
７  シート材収容部、
９  粘着材層、
Ｆ  香料、
Ｓ  シート材。
【図１】
2006223514.tif 000003
【図２】
2006223514.tif 000004
【図３】
2006223514.tif 000005
【図４】
2006223514.tif 000006
【図５】
2006223514.tif 000007
【図６】
2006223514.tif 000008
【図７】
2006223514.tif 000009
【図８】
2006223514.tif 000010
【図９】
2006223514.tif 000011